(57)【要約】【課題】  複数のオーディオソースを聴取可能なオーディオソース変換装置を提供する。【解決手段】  ＦＭモジュレータ装置１０Ａには、ＣＤチェンジャプレーヤ２０、ＭＰ３プレーヤ３０などを接続可能な複数の入力端子を設ける。ユーザが例えばＣＤチェンジャプレーヤ２０（またはＭＰ３プレーヤ３０）を稼働させ、手元操作器１５で所望ソースの選択操作をすると、リモコン受信部１４で受信されたリモコン操作信号に従い、コントロール部１８はソースセレクタ１３を制御しＣＤ−ＣＨ（またはＭＰ３）ポジションに切り換え、ソース選択動作確認音信号発生部１６を制御し、ソース選択動作確認音信号を発生させる。この信号は加算器１７を介してＦＭモジュレータ部１１に入力され、ＦＭ変調される。そして、ヘッドユニット１のアンテナ入力端子に入力され、ＦＭ復調されてスピーカより音響出力される。【選択図】        図２
2007318332.tif 000002
【特許請求の範囲】
【請求項１】
複数のオーディオソースの中から択一的に１つのソースを選択するソース選択手段と、
選択されたソースの音声信号を所定の方式で変調し、後段に接続される音声放送受信機能付オーディオ機器のアンテナ端子へ出力する変調手段と、
ソース選択操作を含む所定の操作を行なう操作手段と、
操作手段での操作に従い、ソース選択手段に対するソース選択制御をする制御手段と、
を備えたことを特徴とするオーディオソース変換装置。
【請求項２】
所定の動作確認音信号を発生してソース選択手段で選択されたソースの音声信号に加える動作確認音信号発生手段を設け、
制御手段は、操作手段でソース選択操作がされると、ソース選択手段に対するソース選択制御をするとともに、動作確認音信号発生手段を制御して所定の動作確認音信号を発生させるようにしたこと、
を特徴とする請求項１記載のオーディオソース変換装置。
【請求項３】
所定の動作確認表示を行なう表示手段を設け、
制御手段は、操作手段でソース選択操作がされると、ソース選択手段に対するソース選択制御をするとともに、表示手段を制御して所定の動作確認表示を行なわせるようにしたこと、
を特徴とする請求項１または２記載のオーディオソース変換装置。
【請求項４】
複数のオーディオソースの中から択一的に１つのソースを選択するソース選択手段と、
選択されたソースの音声信号を所定の方式で変調し、後段に接続される音声放送受信機能付オーディオ機器のアンテナ端子へ出力する変調手段と、
手元操作器から送信されたソース選択操作を含む操作信号を受信するリモコン受信手段と、
リモコン受信手段でソース選択操作信号が受信されると、ソース選択手段に対するソース選択制御をする制御手段と、
を備えたことを特徴とするオーディオソース変換装置。
【請求項５】
動作確認音信号を発生してソース選択手段で選択されたソースの音声信号に加える動作確認音信号発生手段を設け、
制御手段は、リモコン受信手段でソース選択操作信号が受信されると、ソース選択手段に対するソース選択制御をするとともに、動作確認音信号発生手段を制御して動作確認音信号を発生させるようにしたこと、
を特徴とする請求項４記載のオーディオソース変換装置。
【請求項６】
所定の動作確認表示を行なう表示手段を設け、
制御手段は、操作手段でソース選択操作がされると、ソース選択手段に対するソース選択制御をするとともに、表示手段を制御して所定の動作確認表示を行なわせるようにしたこと、
を特徴とする請求項４または５記載のオーディオソース変換装置。
【発明の詳細な説明】
【技術分野】
【０００１】
本発明はオーディオソース変換装置に係り、とくに音声放送受信機能付オーディオ機器を用いてオーディオソースの聴取を可能としたオーディオソース変換装置に関する。
【背景技術】
【０００２】
車両に既設のＦＭラジオ受信機能付車載用オーディオシステムにＣＤチェンジャプレーヤを後付けして聴取したい場合、ＦＭモジュレータ装置と呼ばれる機器を使用して実現することかできる。従来のＦＭモジュレータ装置を用いたシステム構成例を図１に示す。１は車両のインパネに既設のＦＭ放送受信機能付のヘッドユニット（Ｈ／Ｕ）であり、アンテナ入力端子ANT-IN、スピーカ出力端子SP-OUTを有している。スピーカ出力端子SP-OUTにはスピーカＳＰが接続されている。２は受信周波数可変のＦＭラジオ受信部、３は音量調節部３、４はパワーアンプ、５は周波数アップ／ダウンキー、音量アップ／ダウンキー等を有する操作部、６は操作部５での周波数アップ／ダウン操作に応じてＦＭラジオ受信部２に対する同調制御をしたり、音量アップ／ダウン操作に応じて音量調節部３に対する音量調節制御をしたりする。１０はＦＭモジュレータ装置であり、オーディオ入力端子AUDIO-IN、アンテナ入力端子ANT-IN、アンテナ出力端子ANT-OUT を有している。オーディオ入力端子AUDIO-INにはＣＤチェンジャプレーヤ（ＣＤ−ＣＨ）２０のオーディオ出力端子、アンテナ入力端子ANT-INには車載アンテナＡＮＴが接続されている。アンテナ出力端子ANT-OUT はヘッドユニット１のアンテナ入力端子ANT-INと接続されている。１１はＦＭモジュレータ部であり、オーディオ信号をＦＭラジオバンド内の所定の周波数ｆ0 にＦＭ変調し、切り換えスイッチＳＷの一方の端子Ｓへ出力する。アンテナ入力端子ANT-INは切り換えスイッチＳＷの他方の端子Ａと接続されている。切り換えスイッチＳＷは車載アンテナＡＮＴとＦＭ変調信号ＦＭＴをマニュアル操作で切り換えてアンテナ出力端子ANT-OUT へ出力する。ＦＭ変調信号ＦＭＴはヘッドユニット１のＦＭラジオ受信部２でＦＭラジオ放送と同様に受信・復調可能である。
【０００３】
図１の如く接続された車載オーディオシステムの使用方法を説明する。なお、予め、ヘッドユニット１の側でＦＭラジオ受信部２を周波数ｆ0 に同調させておき、またＦＭモジュレータ装置１０の切り換えスイッチＳＷをＦＭモジュレータ部２１の側に切り換えておく。ＣＤチェンジャプレーヤ２０で所望音楽を再生すると、再生オーディオ信号がＦＭモジュレータ装置１０に入力されてＦＭモジュレータ部１１により所定周波数ｆ0 のＦＭ変調信号に変換される。ＦＭ変調信号は切り換えスイッチＳＷ、ＦＭモジュレータ装置１０のアンテナ出力端子ANT-OUT 、ヘッドユニット１のアンテナ入力端子ANT-INを経てＦＭラジオ受信部２に入力され、受信・復調される。復調オーディオ信号は音量調節部３、パワーアンプ４を経てスピーカ出力端子SP-OUTからスピーカＳＰへ出力され、音響変換される。
【０００４】
このようにＦＭモジュレータ装置１０を用いることで、ヘッドユニット１が有さないオーディオソースについてもユーザが聴取可能となる。但し、従来のＦＭモジュレータ装置では、複数のオーディオソースを簡単に切り換えて利用することができないという欠点があった。
【０００５】
【特許文献１】特開平５−９０８３９号公報
【特許文献２】特開平７−５８６４９号公報
【発明の開示】
【発明が解決しようとする課題】
【０００６】
本発明は上記した従来技術の問題に鑑み、複数のオーディオソースを聴取可能なオーディオソース変換装置を提供することを、その目的とする。
【課題を解決するための手段】
【０００７】
請求項１の発明は、複数のオーディオソースの中から択一的に１つのソースを選択するソース選択手段と、選択されたソースの音声信号を所定の方式で変調し、後段に接続される音声放送受信機能付オーディオ機器のアンテナ端子へ出力する変調手段と、ソース選択操作を含む所定の操作を行なう操作手段と、操作手段での操作に従い、ソース選択手段に対するソース選択制御をする制御手段と、を備えたことを特徴としている。
請求項２の発明は、動作確認音信号を発生してソース選択手段で選択されたソースの音声信号に加える動作確認音信号発生手段を設け、制御手段は、操作手段でソース選択操作がされると、ソース選択手段に対するソース選択制御をするとともに、動作確認音信号発生手段を制御して動作確認音信号を発生させるようにしたこと、を特徴としている。
請求項３の発明は、所定の動作確認表示を行なう表示手段を設け、制御手段は、操作手段でソース選択操作がされると、ソース選択手段に対するソース選択制御をするとともに、表示手段を制御して所定の動作確認表示を行なわせるようにしたこと、を特徴としている。
請求項４の発明は、複数のオーディオソースの中から択一的に１つのソースを選択するソース選択手段と、選択されたソースの音声信号を所定の方式で変調し、後段に接続される音声放送受信機能付オーディオ機器のアンテナ端子へ出力する変調手段と、手元操作器から送信されたソース選択操作を含む操作信号を受信するリモコン受信手段と、リモコン受信手段でソース選択操作信号が受信されると、ソース選択手段に対するソース選択制御をする制御手段と、を備えたことを特徴としている。
請求項５の発明は、動作確認音信号を発生してソース選択手段で選択されたソースの音声信号に加える動作確認音信号発生手段を設け、制御手段は、リモコン受信手段でソース選択操作信号が受信されると、ソース選択手段に対するソース選択制御をするとともに、動作確認音信号発生手段を制御して動作確認音信号を発生させるようにしたこと、を特徴としている。
請求項６の発明は、所定の動作確認表示を行なう表示手段を設け、制御手段は、操作手段でソース選択操作がされると、ソース選択手段に対するソース選択制御をするとともに、表示手段を制御して所定の動作確認表示を行なわせるようにしたこと、を特徴としている。
【発明の効果】
【０００８】
本発明によれば、複数のオーディオソースを接続し、任意の１つを選択して聴取可能となり、ユーザの利便性が高くなる。
また、装置に確認音出力用スピーカを設けなくても、ユーザがソース選択操作をしたときのソース選択動作確認音を出力させて、ユーザにソースの切り換わりを音で告知することができる。
また、ユーザがソース選択操作をしたときのソース選択動作表示をさせて、ユーザにソースの切り換わりを表示で告知することができる。
【発明を実施するための最良の形態】
【０００９】
ＦＭモジュレータ装置には、ＦＭラジオ受信機能付のヘッドユニットでは対応していない例えば、ＣＤチェンジャプレーヤ、ＭＰ３プレーヤ等を接続可能な複数のオーディオソース入力端子を設け、ソースセレクタにより択一的に一つのソースを選択可能とする。ソースセレクタの選択動作を音で確認するための所定の選択動作確認音信号（ビープ音信号）を所定の一定時間発生する選択動作確認音信号発生部を設け、ソースセレクタの出力側で加算器によりオーディオソース信号に加算させる。加算器の出力はＦＭモジュレータ部により、ＦＭラジオバンド内の所定の周波数ｆ0 にＦＭ変調させ、車載アンテナ出力と切り換え可能なスイッチを介して後段に接続されるヘッドユニットのアンテナ入力端子へ出力させる。ユーザが例えばＣＤチェンジャプレーヤを稼働させ、手元操作器でＣＤチェンジャプレーヤのソース選択操作をすると、赤外線によるリモコン操作信号が送信され、リモコン受信部で受信されてコントロール部に入力される。コントロール部は入力したリモコン操作信号に従い、ソースセレクタを制御し、ＣＤチェンジャプレーヤのポジションに切り換え、また選択動作確認音信号発生部を制御し、０．３〜１秒程度の長さの選択動作確認音信号を発生させる。この選択動作確認音信号は加算器を介してＦＭモジュレータ部に入力され、ＦＭ変調される。そして、ヘッドユニットのアンテナ入力端子に入力され、ＦＭ復調されてスピーカより音響出力される。これにより、ＦＭモジュレータ装置に選択動作確認音用スピーカが無くても、ユーザに対し音でソース選択動作がされたことを告知でき、例えば、ＣＤチェンジャプレーヤにディスクが無かったり、ディスク交換動作中で再生音楽が暫く聞こえなかった場合でも、確実に、ＣＤチェンジャプレーヤへのソース選択動作が完了していると判断でき、何度も同じ操作を繰り返す無駄をしなくて済む。
【実施例１】
【００１０】
図２は本発明の第１の実施例に係る車載オーディオシステムの構成を示すブロック図であり、図１と同様の構成部分には同じ符号が付してある。
１はヘッドユニットであり、ＦＭラジオ受信機能を有する。１０ＡはＦＭモジュレータ装置であり、４つのオーディオソース入力端子であるＡＵＸ１端子、ＡＵＸ２端子、ＣＤ−ＣＨ端子、ＭＰ３端子、アンテナ入力端子ANT-IN、アンテナ出力端子ANT-OUT を有している。ＣＤ−ＣＨ端子にはＣＤチェンジャプレーヤ（ＣＤ−ＣＨ）２０のオーディオ出力端子、ＭＰ３端子にはＭＰ３プレーヤ４０のオーディオ出力端子、アンテナ入力端子ANT-INには車載アンテナＡＮＴが接続されている。アンテナ出力端子ANT-OUT はヘッドユニット１のアンテナ入力端子ANT-INと接続されている。１３は４つのオーディオソースの中の１つを択一的に選択するソースセレクタ、１４はリモコン受信部、１５はＡＵＸ１、ＡＵＸ２、ＣＤ−ＣＨ、ＭＰ３のソース選択操作が可能な手元操作器であり、操作に応じた赤外線式のリモコン操作信号をリモコン受信部１４へ送信し、リモコン受信部１４は受信したリモコン操作信号を後述するコントロール部へ出力する。
【００１１】
１６はビープ音をソース選択動作確認音信号として発生するソース選択動作確認音信号発生部、１７はソースセレクタ１３の出力側でオーディオ信号にソース選択動作確認音信号を加算する加算器、１１はＦＭモジュレータ部であり、加算器１７から出力されたオーディオ信号をＦＭラジオバンド内の所定の周波数ｆ0 にＦＭ変調し、切り換えスイッチＳＷの一方の端子Ｓへ出力する。アンテナ入力端子ANT-INは切り換えスイッチＳＷの他方の端子Ａと接続されている。切り換えスイッチＳＷは車載アンテナＡＮＴとＦＭモジュレータ部から出力されたＦＭ変調信号ＦＭＴ’をマニュアル操作で切り換えてアンテナ出力端子ANT-OUT へ出力する。１７は装置の全体的な制御を司るコントロール部であり、リモコン受信部１４から入力したリモコン操作信号に従い、ソースセレクタ１３に対するソース選択制御をするとともに、ソース選択動作確認音信号発生部１５を制御し、０．３〜１秒程度の長さのソース選択動作確認音信号を発生させる。このソース選択動作確認音信号は加算器１７を介してＦＭモジュレータ部１１に入力され、ＦＭ変調される。そして、ヘッドユニット１のアンテナ入力端子（図１参照）に入力され、ＦＭ復調されてスピーカＳＰより音響出力される。
【００１２】
次に上記した実施例の動作につき説明する。
なお、予め、ＦＭモジュレータ装置１０ＡのＣＤ−ＣＨ端子にはＣＤチェンジャプレーヤ２０が接続されており、ＭＰ３端子にはＭＰ３プレーヤ３０が接続されているものとする。ＡＵＸ１端子、ＡＵＸ２端子はここでは何も接続されていないものとする。また、ヘッドユニット１の側でＦＭラジオ受信部（図１の符号２参照）を周波数ｆ0 に同調させておき、またＦＭモジュレータ装置１０Ａの切り換えスイッチＳＷをＦＭモジュレータ部１１の側に切り換えておく。
＜ＣＤチェンジャプレーヤの聴取＞
ＣＤチェンジャプレーヤ２０で所望音楽を再生すると、再生オーディオ信号がＦＭモジュレータ装置１０Ａのソースセレクタ１３のＣＤ−ＣＨポジションに入力される。ユーザが手元操作器１５でＣＤチェンジャプレーヤ２０のソース選択操作をすると、赤外線によるリモコン操作信号が送信され、リモコン受信部１４で受信されてコントロール部１７に入力される。コントロール部１７は入力したリモコン操作信号に従い、ソースセレクタ１３を制御し、ＣＤチェンジャプレーヤ２０のポジションに切り換え、ソース選択動作確認音信号発生部１６を制御し、０．３〜１秒程度の長さのソース選択動作確認音信号を発生させる。このソース選択動作確認音信号は加算器１７を介してＦＭモジュレータ部１１に入力され、ＦＭ変調される。そして、切り換えスイッチＳＷ、アンテナ出力端子ANT-OUT
を経てヘッドユニット１のアンテナ入力端子ANT-INに入力され、ＦＭ復調されてスピーカＳＰより音響出力される。
【００１３】
これにより、ＦＭモジュレータ装置１０Ａにソース選択動作確認音用スピーカが無くても、ユーザに対し音でソース選択動作がされたことを告知でき、例えば、ＣＤチェンジャプレーヤ２０にディスクが無かったり、ディスク交換動作中で再生音楽が暫く聞こえなかった場合でも、確実に、ＣＤチェンジャプレーヤ２０へのソース選択動作が完了していると判断でき、何度も同じ操作を繰り返す無駄をしなくて済む。ＣＤチェンジャプレーヤ２０で再生された所望音楽の再生オーディオ信号はＦＭモジュレータ部１１により所定周波数ｆ0 のＦＭ変調信号に変換され、切り換えスイッチＳＷ、アンテナ出力端子ANT-OUT 、ヘッドユニット１のアンテナ入力端子ANT-INに入力され、ＦＭ復調されてスピーカＳＰより音響出力される。
【００１４】
＜ＭＰ３プレーヤの聴取＞
ＭＰ３プレーヤ３０で所望音楽を再生すると、再生オーディオ信号がＦＭモジュレータ装置１０Ａのソースセレクタ１３のＭＰ３ポジションに入力される。ユーザが手元操作器１５でＭＰ３プレーヤ３０のソース選択操作をすると、赤外線によるリモコン操作信号が送信され、リモコン受信部１４で受信されてコントロール部１７に入力される。コントロール部１７は入力したリモコン操作信号に従い、ソースセレクタ１３を制御し、ＭＰ３プレーヤ３０のポジションに切り換え、ソース選択動作確認音信号発生部１６を制御し、０．３〜１秒程度の長さのソース選択動作確認音信号を発生させる。このソース選択動作確認音信号は加算器１７を介してＦＭモジュレータ部１１に入力され、所定周波数ｆ0 のＦＭ変調される。そして、切り換えスイッチＳＷ、アンテナ出力端子ANT-OUT を経てヘッドユニット１のアンテナ入力端子ANT-INに入力され、ＦＭ復調されてスピーカＳＰより音響出力される。
これにより、ＦＭモジュレータ装置１０Ａにソース選択動作確認音用スピーカが無くても、ユーザに対し音でソース選択動作がされたことを告知できる。ＭＰ３プレーヤ３０で再生された所望音楽の再生オーディオ信号はＦＭモジュレータ部１１により所定周波数ｆ0 のＦＭ変調信号に変換され、切り換えスイッチＳＷ、ＦＭモジュレータ装置１０Ａのアンテナ出力端子ANT-OUT 、ヘッドユニット１のアンテナ入力端子ANT-INに入力され、ＦＭ復調されてスピーカＳＰより音響出力される。
【００１５】
この実施例によれば、ＣＤチェンジャプレーヤ２０、ＭＰ３プレーヤ３０などの複数のオーディオソースの中から所望の１つを選択して音響出力することができ、また、ソース選択動作確認音用スピーカが無くてもユーザに対し音でソース選択動作がされたことを告知できる。
【実施例２】
【００１６】
図３は本発明の第２の実施例に係る車載オーディオシステムの構成を示すブロック図であり、図２と同様の構成部分には同じ符号が付してある。
ＦＭモジュレータ装置１０Ｂには、図２のソース選択操作確認音信号発生部１６の代わりに、ソース選択操作確認用表示器１９が設けられている。
１８Ｂは装置の全体的な制御を司るコントロール部であり、リモコン受信部１４から入力したリモコン操作信号に従い、ソースセレクタ１３に対するソース選択を制御をするとともにソース選択動作確認用表示器１８を制御し、０．３〜１秒程度点灯させる。その他の構成部分は図２と全く同様に構成されている。
この実施例によっても、ＣＤチェンジャプレーヤ２０、ＭＰ３プレーヤ３０などの複数のオーディオソースの中から所望の１つを選択して音響出力することができ、また、ユーザに対し表示でソース選択動作がされたことを告知できる。
【産業上の利用可能性】
【００１７】
本発明は、車載用オーディオシステム、家庭用オーディオシステムなどに適用できる。
【図面の簡単な説明】
【００１８】
【図１】従来のＦＭモジュレータ装置を含む車載オーディオシステムの構成例を示すブロック図である。
【図２】本発明の第１の実施例に係るＦＭモジュレータ装置を含む車載オーディオシステムの構成例を示すブロック図である（実施例１）。
【図３】本発明の第２の実施例に係るＦＭモジュレータ装置を含む車載オーディオシステムの構成例を示すブロック図である（実施例２）。
【符号の説明】
【００１９】
１０Ａ、１０Ｂ  ＦＭモジュレータ装置
１１  ＦＭモジュレータ部
１３  ソースセレクタ
１５  ソース選択操作確認音信号発生部
１や  加算器
１８、１８Ｂ  コントロール部
ＳＷ  切り換えスイッチ
２０  ＣＤチェンジャプレーヤ
３０  ＭＰ３プレーヤ
【図１】
2007318332.tif 000003
【図２】
2007318332.tif 000004
【図３】
2007318332.tif 000005